(57)【要約】【課題】除針時において用紙束のステープルを針セット位置に正確に位置合わせすることによりステープルの用紙束からの取り外し不良を未然に防止する。【解決手段】  リムーバは、載置台にセットされる用紙束を押さえる紙押さえ板１２０Ａを備える。紙押さえ板１２０Ａは、開口部１２４が形成される本体１２２と綴じ針支持部１２６と紙束支持部１２８とを有する。綴じ針支持部１２６は、用紙束を貫通して折り曲げられたステープルの脚部の当て付けによりステープルを針セット位置に位置合わせする機能を有すると共に、用紙束とステープラとの間に挿し込まれた針外し部材１６０の前進時において針外し部材１６０の前進に連られて、ステープルＳが前進するのを妨げる方向にステープルを支持する機能を有する。紙束支持部１２８は、用紙束とステープルのクランプ部との間を移動する針外し部材１６０がステープルＳのクラウン部から脚部に向かって用紙束を貫通しないように支持する。【選択図】図７
2018047535.tif 000002
【特許請求の範囲】
【請求項１】
ステープルにより綴じられた用紙束の当該ステープルを取り外すステープル取り外し装置であって、
前記用紙束が載置される載置部と、
前記用紙束を前記載置部に押さえる押さえ部材と、を備え、
前記押さえ部材は、前記ステープルを当て付けて当該ステープルを取り外す位置に位置合わせするためのステープル支持部を有する
ことを特徴とするステープル取り外し装置。
【請求項２】
前記用紙束と前記ステープルとの間に挿し込まれた状態で進行する挿入部材を備え、
前記押さえ部材は、前記用紙束を挟んだ前記挿入部材と対向する位置に紙支持部を有する
ことを特徴とする請求項１に記載のステープル取り外し装置。
【請求項３】
前記ステープル支持部は、前記押さえ部材に形成された開口部における前記挿入部材の進行方向の下流側の縁部に設けられている
ことを特徴とする請求項２に記載のステープル取り外し装置。
【請求項４】
前記紙支持部は、前記押さえ部材に形成された開口部における前記挿入部材の進行方向の上流側の縁部から前記ステープル支持部に向かって延出している
ことを特徴とする請求項２に記載のステープル取り外し装置。
【請求項５】
前記挿入部材を前記用紙束と前記ステープルとの間に進行させるスイッチと、
前記押さえ部材を押し下げて当該押さえ部材により前記用紙束を押圧する第１の状態と、前記第１の状態からさらに押し下がることで前記スイッチをオンして前記挿入部材の進行を開始させる第２の状態とに可変可能な操作部と、
を備えることを特徴とする請求項２から４の何れか一項に記載のステープル取り外し装置。
【発明の詳細な説明】
【技術分野】
【０００１】
本発明は、用紙束からステープルを取り外すステープル取り外し装置に関する。
【背景技術】
【０００２】
従来から、複数枚の用紙を積層した用紙束に対してコの字形状のステープルを貫通させ、ステープルの脚部を内側に折り曲げることで用紙束を綴じる綴じ装置が広く利用されている。これに対し、上述した綴じ装置により綴じ処理された用紙束からステープルを取り外す場合には、ステープル取り外し装置が広く利用されている。
【０００３】
例えば、特許文献１には、ステープルされた冊子を押さえる押え部材と、ステープルと紙の間に侵入すべく備えられた楔板と、楔板を前進させるスライド板とを備えたステープル抜き取り装置が記載されている。また、特許文献２には、ステープルによって綴じられた原稿束を載置するトレイと、原稿束をトレイ上に押し当てる押さえ手段と、ステープルに向けて挿入される挿入部材と、挿入部材を駆動させる駆動手段とを備えた綴じ部材除去装置が記載されている。また、特許文献３には、用紙束表面とステープルとの間に挿入される第１挿入部材と、用紙束裏面とステープルとの間に挿入される第２挿入部材と、第１および第２の挿入部材のそれぞれを移動させる電動モータとを備えた綴じ部材除去装置が記載されている。
【先行技術文献】
【特許文献】
【０００４】
【特許文献１】特開平８−１４１９３５号公報
【特許文献２】特開２０００−１２７０６４号公報
【特許文献３】特許第４０７８７２８号公報
【発明の概要】
【発明が解決しようとする課題】
【０００５】
しかしながら、上記特許文献１から３に記載の従来におけるステープル抜き取り装置等では以下のような問題があった。ステープルの取り外し、すなわち、除針を行う用紙束が少枚数で構成される場合には、ステープルのクラウン部と用紙との間に針外し板を挿し込むと、針外し板によってステープルが押され易くなる。その結果、用紙束をステープルが貫通する際にステープルによって用紙束に穿たれて形成される用紙束の針孔が広がってしまい、用紙にダメージを与えてしまうという問題があった。
【０００６】
また、針外し板を用紙束とステープルのクラウン部との間に確実に挿し込むためには、針外し板の先端部を鋭利に形成する必要があると共に、先端を用紙方向に向けて前進させる必要がある。そのため、少枚数の用紙束の除針を行う場合、針外し板が用紙束のステープルのクラウン部側から脚部側に用紙束を突き破ってしまう懸念があった。
【０００７】
さらに、針外し板の動作を決まった位置で行う従来の装置では、コーナー綴じや平行２カ所綴じ等、紙端からの綴じ位置（距離や角度）が異なる用紙束をセットする際に、用紙束のステープルを人の手で適切な位置に合わせる必要がある。そのため、用紙束のセット位置のずれが生じた場合には除針動作が失敗してしまう、という問題もあった。
【０００８】
そこで、本発明は、上記課題に鑑みてなされたものであり、その目的は、除針時において用紙束のステープルを針セット位置に正確に位置合わせすることにより、ステープルの用紙束からの取り外し不良を未然に防止することが可能なステープル取り外し装置を提供することにある。
【課題を解決するための手段】
【０００９】
本発明に係るステープル取り外し装置は、ステープルにより綴じられた用紙束の当該ステープルを取り外すステープル取り外し装置であって、前記用紙束が載置される載置部と、前記用紙束を前記載置部に押さえる押さえ部材と、を備え、前記押さえ部材は、前記ステープルを当て付けて当該ステープルを取り外す位置に位置合わせするためのステープル支持部を有するものである。
【００１０】
本発明に係るステープル取り外し装置は、前記用紙束と前記ステープルとの間に挿し込まれた状態で進行する挿入部材を備え、前記押さえ部材は、前記用紙束を挟んだ前記挿入部材と対向する位置に紙支持部を有するものである。
【００１１】
前記ステープル支持部は、前記押さえ部材に形成された開口部における前記挿入部材の進行方向の下流側の縁部に設けることができる。
【００１２】
前記紙支持部は、前記押さえ部材に形成された開口部における前記挿入部材の進行方向の上流側の縁部から前記ステープル支持部に向かって延出させることができる。
【００１３】
本発明に係るステープル取り外し装置は、前記挿入部材を前記用紙束と前記ステープルとの間に進行させるスイッチと、前記押さえ部材を押し下げて当該押さえ部材により前記用紙束を押圧する第１の状態と、前記第１の状態からさらに押し下がることで前記スイッチをオンして前記挿入部材の進行を開始させる第２の状態とに可変可能な操作部と、を備えるものである。
【発明の効果】
【００１４】
本発明によれば、押さえ部材にステープル支持部を設けるので、ステープルを用紙束から取り外す際にステープルを当て付けて当該ステープルを取り外す位置に正確に位置合わせすることができる。これにより、ステープルの取り外しの不良を未然に防止することができる。
【００１５】
また、本発明によれば、用紙束とステープルとの間に挿し込まれた状態で進行する挿入部材を備え、押さえ部材が、用紙束を挟んだ挿入部材と対向する位置に紙支持部を有するので、紙支持部が用紙束を介して挿入部材を支持する。このため、挿入部材が用紙束を突き破ることを防止できる。
【図面の簡単な説明】
【００１６】
【図１】ＡおよびＢはステープル・リムーバユニットの構成例を示す斜視図である。
【図２】Ａはステープル・リムーバユニットの構成例を示す平面図であり、Ｂはその側面図であり、Ｃは正面図である。
【図３】リムーバの構成例を示す斜視図である。
【図４】リムーバの構成例を示す側面図である。
【図５】リムーバの構成例を示す平面図である。
【図６】リムーバの構成例を示す断面図である。
【図７】紙押さえ板の構成例を示す斜視図である。
【図８】Ａは紙押さえ板の構成例を示す平面図であり、ＢはそのＡ−Ａ線に沿った断面図である。
【図９】除針時におけるリムーバの動作を説明するための図である（その１）。
【図１０】ＡおよびＢは除針時におけるリムーバの動作を説明するための図である（その２）。
【図１１】ＡおよびＢは除針時におけるリムーバの動作を説明するための図である（その３）。
【図１２】ＡおよびＢは除針時におけるリムーバの動作を説明するための図である（その４）。
【図１３】除針時におけるリムーバの動作を説明するための図である（その５）。
【図１４】紙押さえ板の他の構成例を示す斜視図である（その１）。
【図１５】紙押さえ板の他の構成例を示す斜視図である（その２）。
【図１６】紙押さえ板の他の構成例を示す斜視図である（その３）。
【図１７】紙押さえ板の他の構成例を示す斜視図である（その４）。
【図１８】紙押さえ板の他の構成例を示す斜視図である（その５）。
【図１９】紙押さえ板の他の構成例を示す斜視図である（その６）。
【図２０】紙押さえ板の他の構成例を示す斜視図である（その７）。
【図２１】紙押さえ板の他の構成例を示す斜視図である（その８）。
【図２２】紙押さえ板の他の構成例を示す斜視図である（その９）。
【図２３】紙押さえ板の他の構成例を示す斜視図である（その１０。
【図２４】Ａは紙押さえ板の他の構成例を示す斜視図であり、Ｂはその断面図である（その１１）。
【図２５】Ａは紙押さえ板の他の構成例を示す斜視図であり、Ｂはその断面図である（その１２）。
【図２６】Ａは紙押さえ板の他の構成例を示す斜視図であり、Ｂはその断面図である（その１３）。
【図２７】紙押さえ板の他の構成例を示す斜視図である（その１４）。
【図２８】紙押さえ板の他の構成例を示す斜視図である（その１５）。
【図２９】紙押さえ板の他の構成例を示す斜視図である（その１６）。
【図３０】紙押さえ板の他の構成例を示す斜視図である（その１７）。
【図３１】レバーの他の構成例を示す斜視図である（その１）。
【図３２】レバーの他の構成例を示す斜視図である（その２）。
【図３３】レバーの他の構成例を示す斜視図である（その３）。
【図３４】レバーの他の構成例を示す斜視図である（その４）。
【図３５】スイッチの他の構成例を示す斜視図である（その１）。
【図３６】スイッチの他の構成例を示す斜視図である（その２）。
【図３７】スイッチの他の構成例を示す斜視図である（その３）。
【図３８】ステープル・リムーバユニットの他の構成例を示す斜視図である（その１）。
【図３９】ステープル・リムーバユニットの他の構成例を示す斜視図である（その２）。
【図４０】ステープル・リムーバユニットの他の構成例を示す斜視図である（その３）。
【図４１】ＡおよびＢは、ステープル・リムーバユニットの他の構成例を示す斜視図である（その４）。
【図４２】リムーバの他の構成例を示す斜視図である（その１）。
【図４３】リムーバの他の構成例を示す斜視図である（その２）。
【発明を実施するための形態】
【００１７】
以下に添付図面を参照しながら、本発明の好適な実施の形態について詳細に説明する。
【００１８】
［ステープル・リムーバユニット３００Ａの構成例］  
図１Ａは本発明に係るステープル・リムーバユニット３００Ａを上方側から見た場合の構成の一例を示し、図１Ｂはステープル・リムーバユニット３００Ａを下方側から見た場合の構成の一例を示している。図２Ａはステープル・リムーバユニット３００Ａの構成の一例を示す平面図であり、図２Ｂはその側面図であり、図２Ｃはその正面図である。
【００１９】
図１および図２に示すように、ステープル・リムーバユニット３００Ａは、設置台３１０と、リムーバ１００Ａと、ステープラ２００とを備えている。設置台３１０上には、リムーバ１００Ａとステープラ２００とが隣接して配設されると共に、リムーバ１００Ａとステープラ２００とが前後方向に若干ずれて配設されている。このように、本実施の形態では、リムーバ１００Ａとステープラ２００とが一体的に組み合わされたユニット構成となっている。
【００２０】
リムーバ１００Ａは、ステープルにより綴じられた用紙束のステープルを自動で取り外すための装置である。本実施の形態において、用紙束とは、複数枚の積層された用紙の端部等をステープルにより綴じた束をいう。リムーバ１００Ａの内部には、用紙束から取り外したステープル（くず針）を収容するためのダストボックス１９０が設置されている。ダストボックス１９０は、リムーバ１００Ａの後面側から挿抜可能に構成されている。リムーバ１００Ａの上面部は、用紙束が載置される載置台１１０ａとなっている。載置台１１０ａは、載置部の一例を構成している。なお、リムーバ１００Ａの詳細については後述する。
【００２１】
ステープラ２００は、用紙束をステープルにより自動で綴じるための装置である。ステープラ２００の後面側には、ステープラ２００内にステープルを装填するための開閉扉２１０が設けられている。ステープラ２００の上面部は、リムーバ１００Ａの載置台１１０ａと面一（平面）で構成されており、除針時において用紙束が載置される載置台２１０ａとして機能する。載置台２１０ａは、載置部の一例を構成している。これにより、リムーバ１００Ａとステープラ２００とをそれぞれ個別に設けた場合よりも載置台１１０ａと載置台２１０ａとを合わせて載置部を広い領域として構成している。なお、ステープラ２００は、公知の技術を採用できるため、本実施の形態において詳細な説明は省略する。
【００２２】
設置台３１０においてリムーバ１００Ａの前方側に張り出した部分３１０ａには、ＬＥＤ３２０が設けられている。ＬＥＤ３２０は、例えば、以下のような機能がある。リムーバ１００Ａにおいては、くず針がダストボックス１９０内に満載状態である場合に点灯または点滅する。また、除針時に、ステープルが針セット位置にセットされたか（後述する綴じ針支持部１２６に当て付けられたか）否かの有無に連動し、ステープルが針セット位置に到達する前の状態では赤色で点灯し、到達後の状態では緑色で点灯する。ステープラ２００においては、ステープルがない場合に点灯または点滅する。各表示内容の違いは、ＬＥＤ３２０の点灯または点滅パターンを異ならせることにより識別できる。なお、これらのユーザーへの報知は、ＬＥＤ３２０に限定されることはない。例えば、音声やブザー音によりユーザーに報知しても良いし、表示部に表示される文字等によってユーザーに報知しても良い。また、載置台１１０ａの張り出した部分３１０ａはステープラ２００でステープル綴じ作業を行う際の用紙載置台となる。これにより、リムーバ１００Ａとステープラ２００とをそれぞれ個別に設けた場合よりも、広い領域の載置台を成すことができる。
【００２３】
［リムーバ１００Ａの構成例］  
図３はリムーバ１００Ａの構成例を示す斜視図であり、図４はその側面図であり、図５はその平面図である。図６は、リムーバ１００Ａの断面の概略構成の一例を示している。
【００２４】
図３〜図６に示すように、リムーバ１００Ａは、細長の形状からなる筐体１１０と、レバー１７０Ａと、押さえ部材の一例としての紙押さえ板１２０Ａと、スイッチ１１６Ａと、駆動機構１８０とを備えている。
【００２５】
レバー１７０Ａは、ユーザーの押下操作により下方側に移動して紙押さえ板１２０Ａを押し下げることで当該押さえ板１２０Ａにより用紙束を押さえる第１の状態と、第１の状態からさらに押し下がることでスイッチ１１６Ａをオンしてリムーブ動作を開始させる第２の状態との間を可変可能に構成されている。レバー１７０Ａは、筐体１１０の上方側に配設されており、ユーザーが把持しやすいように略Ｕ字形状からなる。なお、レバー１７０Ａは、操作部の一例を構成している。
【００２６】
スイッチ用リンク１１４，１１４は、略Ｌ字形状をなす平板部材から構成され、筐体１１０の側面部のそれぞれに配設されている。なお、対をなすスイッチ用リンク１１４，１１４の構成は共通するため、以下では筐体１１０の図示手前側のスイッチ用リンク１１４についてのみ説明する。スイッチ用リンク１１４の一端部はレバー１７０Ａに取り付けられ、スイッチ用リンク１１４の他端部はレバー１７０Ａの押圧操作に応じてスイッチ１１６Ａに接触可能に構成されている。スイッチ用リンク１１４の折り曲げ部１１４ａは、筐体１１０の後方側の上面部から突出した突出部１１０ｂ，１１０ｂに回動可能に取り付けられている。これにより、レバー１７０Ａがユーザーにより押圧され、スイッチ用リンク１１４が回動すると、スイッチ用リンク１１４の他端部がスイッチ１１６Ａに接触する。
【００２７】
スイッチ１１６Ａは、アクチュエータを含み、筐体１１０の一方側の側面部に取り付けられている。スイッチ１１６は、不図示の制御基板に接続され、ユーザーによるレバー１７０Ａの押圧操作に応じてオンすることによりリムーバ１００Ａの動作を開始するための信号等を制御基板に供給する。なお、スイッチ１１６Ａでは、押し下げたレバー１７０Ａを一定時間保持させた場合、つまりスイッチ１１６Ａのオン状態を継続させた場合に、リムーブ動作を開始するようにしても良い。これにより、スイッチ１１６Ａのチャタリングによりユーザーが意図しないタイミングでリムーブ動作が開始してしまうことを防止できる。
【００２８】
紙押さえ板１２０Ａは、筐体１１０の載置台１１０ａに載置された用紙束を予め設定されたステープルを取り外す位置である針セット位置で押さえ付けて保持するための部材である。紙押さえ板１２０Ａは、紙押さえ板リンク１５０の一端部に回動可能に取り付けられると共に、上方側に配設されるレバー１７０Ａに不図示のばね等の弾性部材を介して接続されている。これにより、紙押さえ板１２０Ａは、ユーザーによるレバー１７０Ａの押圧操作に伴って発生するばねの付勢力により筐体１１０側に移動し、載置台１１０ａ上の用紙束を押さえ付けることができる。紙押さえ板１２０Ａは、押さえ部材の一例を構成している。なお、紙押さえ板１２０Ａの詳細については後述する。
【００２９】
［駆動機構１８０の構成例］  
まず、筐体１１０の外部側に設けられる駆動機構１８０の構成の一例について図３および図４を参照して説明する。駆動機構１８０は、図示しない駆動モータを有している。駆動モータの出力軸１３０の一端部は、筐体１１０の側面部から外部に延出しており、その延出した部分にピニオンギア１３１が取り付けられている。出力軸１３０のピニオンギア１３１にはギア１３２が噛み合っており、ギア１３２の軸にはギア１３３が設けられて、ギア１３４が噛み合っている。また、ギア１３４の軸１３５には不図示のギアが設けられて、ギア１３６が噛み合っており、ギア１３６の軸１３８の一端部が筐体１１０の内部に延在している。このような構成により、駆動モータが駆動すると、ギア１３２，１３４，１３６を介して軸１３８が回転するようになっている。
【００３０】
続けて、筐体１１０の内部側に設けられる駆動機構１８０の構成の一例について図５および図６を参照して説明する。駆動機構１８０は、一対の紙押さえ板リンク１５０，１５０と、針外し板リンク１５６と、針外し部材１６０とを有している。一対の紙押さえ板リンク１５０，１５０は、紙押さえ板１２０Ａとカムフォロア１５２との間を接続するための部材である。対をなす紙押さえ板リンク１５０，１５０は構成が共通するため、以下では一方側の紙押さえ板リンク１５０についてのみ説明する。
【００３１】
紙押さえ板リンク１５０は、２本の細長の平板のそれぞれが略横向きのＶ字形状を成すように折り曲げして連結された部材により構成され、その連結部１５０ａが筐体１１０の突出部１１０ｂに回動可能に取り付けられている。紙押さえ板リンク１５０の一端部は、紙押さえ板１２０の左右方向の一方側の端部に取り付けられている。紙押さえ板リンク１５０の他端部は、筐体１１０内の下方側まで延在すると共にカムフォロア１５２に取り付けられている。
【００３２】
上述した軸１３８には、カム１５４が取り付けられている。カム１５４は、略扇形状からなり、カムフォロア１５２に対向して配置されている。カム１５４は、軸１３８に接続される不図示の駆動モータの駆動により回動してカムフォロア１５２を押圧することにより、紙押さえ板リンク１５０を連結部１５０ａを支点として回動させる。これにより、紙押さえ板１２０Ａを載置台１１０ａ（用紙束Ｐ）に対して近接または離反させることができる。なお、紙押さえ板リンク１５０を分割して２部品で構成し、この２部品の間に弾性部材を介在させることで、用紙束Ｐの厚みに応じて、この弾性部材を変形させることで用紙束Ｐの厚みの変化を吸収できる構成にしても良い。
【００３３】
針外し板リンク１５６は、略Ｌ字形状からなる平板部材により構成され、その折り曲げ部１５６ａがフレーム１１１に対して回動可能に取り付けられている。針外し板リンク１５６は、軸１３８に設けられた不図示のカムで駆動され、カムが回動して針外し板リンク１５６を押圧付勢することにより、折り曲げ部１５６ａを支点として回動する。
【００３４】
針外し板リンク１５６の上方側の一端部には、針外し部材１６０を傾動または進退させるための長孔１５８が形成されている。長孔１５８には、針外し部材１６０に設けられたピン１６８がスライド可能に取り付けられている。また、フレーム１１１の上部側には、針外し部材１６０を傾動または進退させるための長孔１７２，１７４がそれぞれ形成されている。
【００３５】
針外し部材１６０は、用紙束ＰとステープルＳのクラウン部との間に挿し込まれた状態で進行することでステープルＳを用紙束Ｐから取り外すための部材である。針外し部材１６０は、本体１６２と、挿入板１６４とを有している。本体にはピン１６６，１６８が設けられている。ピン１６６は、長孔１７２に沿って移動可能に係合される。ピン１６８も、長孔１７４に沿って移動可能に係合される。これにより、針外し部材１６０は、筐体１１０の前後方向に沿って移動できるようになっている。針外し部材１６０は、挿入部材の一例を構成している。
【００３６】
挿入板１６４は、本体１６２の上面部に取り付けられ、その先端側が用紙束ＰとステープルＳのクラウン部との間に挿入し易いように先細り形状となっている。より具体的には、挿入板１６４は、その板厚が先端側に向かって徐々に薄くなるように構成されている。また、挿入板１６４は、ばね等により上方側（用紙束Ｐ側）に付勢されており、針セット位置Ｐｏよりも筐体１１０の図６の図示状態で紙面の左手側である前方側において挿入板１６４の上面部が用紙束Ｐに当接してスライドするようになっている。また、挿入板１６４は、針セット位置Ｐｏよりも筐体１１０の図６の図示状態で紙面の右手側である後方側において図示しない押さえ機構により筐体１１０の上面部（用紙束Ｐ）から離間する方向に配置される。針セット位置Ｐｏは、除針時に、用紙束ＰのステープルＳが後述する綴じ針支持部１２６に当接する位置である。
【００３７】
［紙押さえ板１２０Ａの構成例］  
図７は、紙押さえ板１２０Ａの構成の一例を示す斜視図である。図８Ａは紙押さえ板１２０Ａの構成の一例を示す平面図であり、図８Ｂは図８Ａの紙押さえ板１２０ＡのＡ−Ａに沿った断面図である。図７および図８に示すように、紙押さえ板１２０Ａは、本体１２２と、綴じ針支持部１２６と、紙束支持部１２８とを有している。綴じ針支持部１２６はステープル支持部の一例を構成し、紙束支持部１２８は紙支持部の一例を構成している。
【００３８】
本体１２２は、平面的に見て略矩形状をなす平板部材から構成され、その前端部が斜め上方側に向かって折り曲げられている。本体１２２の略中央部には、用紙束を貫通したステープルの脚部を収容するための開口部１２４が形成されている。
【００３９】
綴じ針支持部１２６は、用紙束を貫通して折り曲げられたステープルの脚部の当て付けによりステープルを針セット位置に位置合わせする機能を有すると共に、用紙束とステープルとの間に挿し込まれた針外し部材１６０の前進（進行）時において針外し部材１６０の前進を阻害する（せき止める）方向にステープルを支持する機能を有している。綴じ針支持部１２６は、開口部１２４における針外し部材１６０の前進方向の下流側（筐体１１０の後方側）の縁部に設けられ、ステープルを支持し易いように平坦面で構成されている。綴じ針支持部１２６の左右方向の長さＷ１は、少なくともステープラの折り曲げられた脚部の両端部間の長さ（クラウン部の長さ）以上に構成することが好ましい。また、綴じ針支持部１２６の厚みＴは、少なくとも使用されるステープラの針厚以上に構成することが好ましい。
【００４０】
紙束支持部１２８は、用紙束とステープルのクラウン部との間を移動する針外し部材１６０がステープルのクラウン部から脚部に向かって用紙束を貫通しないように支持するための部材である。紙束支持部１２８は、開口部１２４の針外し部材１６０の前進方向の上流側の縁部である前縁部から針外し部材１６０の前進方向の下流側となる筐体１１０の後方側に向かって綴じ針支持部１２６を臨むように開口部１２４内に延在している。このとき、紙束支持部１２８の先端部は、開口部１２４内でステープルがある程度移動可能なように綴じ針支持部１２６とは一定の間隔Ｗ３をあけて設けられる。紙束支持部１２８の左右方向の幅Ｗ２は、針外し部材１６０の左右方向の幅以上であることが好ましい。
【００４１】
［リムーバ１００Ａの動作例］  
図９〜図１３は、用紙束Ｐからステープルを取り外す場合におけるリムーバ１００Ａの動作の一例を示している。なお、図９〜図１３において、紙面の左側をリムーバ１００Ａの前方とし、紙面の右側をリムーバ１００Ａの後方とする。また、レバー１７０Ａ等は、便宜上省略して図示している。
【００４２】
図９に示すように、ユーザーは、用紙束Ｐを載置台１１０ａと針押さえ板１２０Ａとの間に配置する。次に、図示しないレバー１７０Ａの押し下げ操作により針押さえ板１２０Ａを下方に押し下げ、用紙束Ｐを紙押さえ板１２０Ａと載置台１１０ａとの間に挟んで仮クランプ状態とする。
【００４３】
続けて、図１０Ａおよび図１０Ｂに示すように、用紙束ＰのステープルＳの脚部を針押さえ板１２０Ａの開口部１２４内を移動させることで綴じ針支持部１２６に当て付け、ステープルＳを針セット位置に位置合わせする。なお、ステープルＳの位置合わせは、針押さえ板１２０Ａを載置台１１０ａ上に押し付けた後に、その間に用紙束Ｐを挿入して綴じ針支持部１２６にステープルＳを当て付けることでセットするようにしても良い。
【００４４】
続けて、ユーザーがステープルＳの位置合わせの完了によりレバー１７０Ａをさらに押し下げると、レバー１７０Ａと紙押さえ板リンク１５０との配設された不図示のばねが弾性変形してスイッチ用リンク１１４が回動することでスイッチ１１６Ａがオンされる（図３参照）。これにより、不図示の駆動モータが駆動し、図１０Ａに示すように、カム１５４が回動することで紙押さえ板リンク１５０が連結部１５０ａを支点として回動し、紙押さえ板１２０Ａがさらに下方側に移動する。これにより、用紙束ＰのステープルＳが紙押さえ板１２０Ａによって針セット位置にて動かないように固定される。
【００４５】
また、駆動モータの駆動により不図示のカムが回動し、針外し板リンク１５６が折り曲げ部１５６ａを支点として筐体１１０の前方側に回動することでピン１６６，１６８が長孔１７２，１７４に沿って移動し、針外し部材１６０が筐体１１０の前方側に後退する。このとき、針外し部材１６０は、後退により不図示の押さえ機構から解放されることでばねの付勢力により上方側に傾動し、針外し部材１６０の上面部が用紙束Ｐの裏面側に当接する。
【００４６】
続けて、図１１Ａおよび図１１Ｂに示すように、不図示のカムがさらに回動すると、針外し板リンク１５６が折り曲げ部１５６ａを支点として筐体１１０の後方側に回動する。これにより、針外し部材１６０が用紙束Ｐの裏面側に当接しつつスライドしながら前進する。
【００４７】
針外し部材１６０が前進していくと、図１２Ａおよび図１２Ｂに示すように、針外し部材１６０の先端部が用紙束ＰとステープルＳのクラウン部との間に挿し込まれていき、その間での針外し部材１６０の厚みが厚くなるほどステープルＳのクラウン部が用紙束Ｐの裏面から引き離される。それに伴い、用紙束の表面側に位置するステープルＳの脚部が折り曲げられている状態から徐々に伸びて用紙束Ｐに対するステープルＳの脚部の締結力が徐々に弱まっていく。
【００４８】
針外し部材１６０の先端部が針セット位置Ｐｏよりも後方側に前進すると、針外し部材１６０は不図示の押さえ機構により用紙束Ｐから離れる方向に傾動する。これにより、ステープルＳが用紙束Ｐから完全に取り外され、取り外されたステープルＳが図１に示すダストボックス１９０内に落下して回収される。本実施の形態では、このような一連の動作により、用紙束ＰからのステープルＳの取り外しが行われる。
【００４９】
以上説明したように、本実施の形態によれば、紙押さえ板１２０Ａに綴じ針支持部１２６を設けるので、除針時に、ステープルＳを針セット位置に正確かつ簡易に位置合わせすることができる。これにより、ステープルＳの取り外しの不良を未然に防止することができる。さらに、除針時に、用紙束ＰとステープルＳとの間に挿し込んだ針外し部材１６０を前進させる際において、綴じ針支持部１２６により針外し部材１６０の前進に連れられてステープルＳが前進するのを妨げる方向にステープルＳを支持するので、ステープルＳの用紙束Ｐからの取り外しの失敗を確実に防止できる。
【００５０】
また、紙支持部の一例として紙束支持部１２８を備えているので、針外し部材１６０が用紙束Ｐの裏面側に当接しつつスライドしながら前進する際に紙束支持部１２８が用紙束Ｐを介して針外し部材１６０の先端を支持するので、針外し部材１６０が用紙束Ｐを傷つけたり、用紙束Ｐの裏面側から表面側に突き破ることを防止できる。特に、少枚数の用紙束、例えば２〜３枚程度の用紙を綴じた用紙束からステープルＳを除針する際であっても、針外し部材１６０が用紙束Ｐを傷つけたり、用紙束Ｐを突き破ることを防止できる。
【００５１】
また、本実施の形態によれば、レバー１７０Ａを押し下げて紙押さえ板１２０Ａにより用紙束Ｐを押さえ付ける第１の状態と、第１の状態からさらにレバー１７０Ａを押し下がることでスイッチ１１６Ａをオンする第２の状態とに可変可能なレバー１７０Ａを採用するので、一度位置決めした用紙束Ｐの位置をずらすことなくリムーブ動作を開始させることができる。これにより、ステープルＳの用紙束Ｐからの取り外しの失敗を確実に防止できる。
【００５２】
［紙押さえ板１２０Ａの変形例］  
次に、紙押さえ板１２０Ａの変形例について説明する。なお、図７および図８で説明した紙押さえ板１２０Ａと共通する構成要素については、詳細な説明を省略する。
【００５３】
図１４は、紙押さえ板１２０Ｂの構成の一例を示している。図１４に示すように、紙押さえ板１２０Ｂは、開口部１２４が形成された本体１２２と、綴じ針支持部１２６と、紙束支持部１２８とを有している。紙束支持部１２８の綴じ針支持部１２６側（後方側）の先端部は、矢印形状により構成されている。これにより、針セット位置の近傍が矢印で示されるので、ユーザーは針セット位置を的確に把握することができ、ステープルＳを迅速かつ正確に針セット位置にセットできる。
【００５４】
図１５は、紙押さえ板１２０Ｃの構成の一例を示している。図１５に示すように、紙押さえ板１２０Ｃは、開口部１２４が形成された本体１２２と、綴じ針支持部１２６と、紙束支持部１２８とを有している。開口部１２４は、平面的に見て略台形形状により構成されている。より具体的には、開口部１２４の前方側の開口幅が後方側の開口幅よりも幅広となっている。これにより、ステープルＳを針セット位置にセットする際に、ステープルＳを開口部１２４内において案内縁１２６ａ，１２６ｂによって確実に拾い込み、綴じ針支持部１２６へ突き当てることができる。
【００５５】
図１６は、紙押さえ板１２０Ｄの構成の一例を示している。図１６に示すように、紙押さえ板１２０Ｄは、開口部１２４が形成された本体１２２と、綴じ針支持部１２６とを有している。開口部１２４は、平面的に見て略Ｔ字形状により構成されている。開口部１２４の綴じ針支持部１２６近傍以外の開口幅は、針外し部材１６０の幅よりも幅狭となっている。これにより、針外し部材１６０を開口部１２４の外側の本体１２２で支持できるので、除針時に針外し部材１６０が用紙束Ｐを突き破ることを防止できる。また、除針時に、開口部１２４の幅広部が目印となるので、ユーザーは針セット位置を的確に把握することができ、ステープルＳを迅速かつ正確に針セット位置にセットできる。
【００５６】
図１７は、紙押さえ板１２０Ｅの構成の一例を示している。図１７に示すように、紙押さえ板１２０Ｅは、開口部１２４が形成された本体１２２と、綴じ針支持部１２６と、紙束支持部１２８とを有している。紙束支持部１２８は、平面的に見て略Ｔ字形状により構成され、綴じ針支持部１２６側の先端部が幅広となっている。これにより、除針時に、紙束支持部１２８の幅広部が目印となるので、ユーザーは針セット位置を的確に把握することができ、ステープルＳを迅速かつ正確に針セット位置にセットできる。
【００５７】
図１８は、紙押さえ板１２０Ｆの構成の一例を示している。図１８に示すように、紙押さえ板１２０Ｆは、開口部１２４が形成された本体１２２と、綴じ針支持部１２６と、紙束支持部１２８とを有している。綴じ針支持部１２６は、開口部１２４の左右方向の縁部よりも外側に突出しており、全体でステープルＳの外形と同様な大きさとなるように構成されている。これにより、除針時に、紙束支持部１２８の先端部が目印となるので、ユーザーは針セット位置を的確に把握することができ、ステープルＳを迅速かつ正確に針セット位置にセットできる。
【００５８】
図１９は、紙押さえ板１２０Ｇの構成の一例を示している。図１９に示すように、紙押さえ板１２０Ｇは、開口部１２４が形成された本体１２２と、綴じ針支持部１２６と、突き出し部１２７ａ，１２７ａと、紙束支持部１２８とを有している。突き出し部１２７ａ，１２７ａは、本体１２２の表面部から略長方形状で突出しており、綴じ針支持部１２６の左右方向の両端部のそれぞれに形成される。これにより、除針時に、紙束支持部１２８の突き出し部１２７ａ，１２７ａが目印となるので、ユーザーは針セット位置を的確に把握することができ、ステープルＳを迅速かつ正確に針セット位置にセットできる。
【００５９】
図２０は、紙押さえ板１２０Ｈの構成の一例を示している。図２０に示すように、紙押さえ板１２０Ｈは、開口部１２４が形成された本体１２２と、綴じ針支持部１２６と、突き出し部１２７ｂと、紙束支持部１２８とを有している。突き出し部１２７ｂは、綴じ針支持部１２６の左右方向の中央部であってその後方側に形成され、本体１２２の表面部から略長方形状で突出している。これにより、除針時に、紙束支持部１２８の突き出し部１２７ｂが目印となるので、ユーザーは針セット位置を的確に把握することができ、ステープルＳを迅速かつ正確に針セット位置にセットできる。
【００６０】
図２１は、紙押さえ板１２０Ｉの構成の一例を示している。図２１に示すように、紙押さえ板１２０Ｉは、開口部１２４が形成された本体１２２と、綴じ針支持部１２６と、紙束支持部１２８と、窓部１２９ａ，１２９ａとを有している。窓部１２９ａ，１２９ａは、本体１２２を厚み方向に貫通する矩形状の開口であり、綴じ針支持部１２６よりも後方側の本体１２２に形成される。これにより、除針時に、用紙束Ｐを針セット位置よりも奥側にセットしてしまった場合でも、窓部１２９ａ，１２９ａによりステープルＳを確認できるので、ステープルＳの誤セットを容易に判別できる。
【００６１】
図２２は、紙押さえ板１２０Ｊの構成の一例を示している。図２２に示すように、紙押さえ板１２０Ｊは、開口部１２４が形成された本体１２２と、綴じ針支持部１２６と、紙束支持部１２８と、窓部１２９ｂとを有している。窓部１２９ｂは、本体１２２を厚み方向に貫通する矩形状の開口であり、綴じ針支持部１２６の左右方向の中央部でかつその後方側に突出して形成される。これにより、除針時に、用紙束Ｐを針セット位置よりも奥側にセットしてしまった場合でも、窓部１２９ｂによりステープルＳを確認できるので、ステープルＳの誤セットを容易に判別することができる。
【００６２】
図２３は、紙押さえ板１２０Ｋの構成の一例を示している。図２３に示すように、紙押さえ板１２０Ｋは、開口部１２４が形成された本体１２２と、綴じ針支持部１２６と、紙束支持部１２８とを有している。綴じ針支持部１２６は、階段形状に形成され、各段部が使用するステープルＳのクラウン幅に対応するように構成されている。これにより、クラウン幅の異なるステープルＳの除針を行う場合でも、綴じ針支持部１２６の階段形状の何れかの面でステープルＳを確実に当て付けることができ、各ステープルＳのクラウン幅に合わせて迅速かつ正確に針セット位置にセットできる。
【００６３】
図２４Ａおよび図２４Ｂは、紙押さえ板１２０Ｌの構成の一例を示している。図２４Ａおよび図２４Ｂに示すように、紙押さえ板１２０Ｌは、開口部１２４が形成された本体１２２と、綴じ針支持部１２６と、紙束支持部１２８とを有している。本体１２２の綴じ針支持部１２６よりも後方側の部位は、他の本体１２２よりも一段下がった段差部１２２ａとなっている。これにより、用紙束Ｐに歪みがあった場合でも、ステープルＳを確実に綴じ針支持部１２６に引っ掛けて当て付けることができ、ステープルＳを迅速かつ正確に針セット位置にセットできて、ステープルＳを用紙束Ｐから確実に引き抜くことができる。
【００６４】
図２５Ａおよび図２５Ｂは、紙押さえ板１２０Ｍの構成の一例を示している。図２５Ａおよび図２５Ｂに示すように、紙押さえ板１２０Ｍは、開口部１２４が形成された本体１２２と、綴じ針支持部１２６と、紙束支持部１２８とを有している。綴じ針支持部１２６は、後方側に向かうにつれて下面側から板厚が徐々に厚くなるようなテーパー面で構成され、紙押さえ板１２０Ｍの用紙束と当接する面と鋭角を成すように設けられている。これにより、除針時に、ステープルＳを確実に綴じ針支持部１２６に引っ掛けて当て付けることができ、ステープルＳを迅速かつ正確に針セット位置にセットできて、ステープルＳを用紙束Ｐから確実に引き抜くことができる。
【００６５】
図２６Ａおよび図２６Ｂは、紙押さえ板１２０Ｎの構成の一例を示している。図２６Ａおよび図２６Ｂに示すように、紙押さえ板１２０Ｎは、開口部１２４が形成された本体１２２と、綴じ針支持部１２６と、紙束支持部１２８とを有している。綴じ針支持部１２６は、後方側に向かうにつれて上面側から板厚が徐々に厚くなるようなテーパー面で構成されて、紙押さえ板１２０Ｎの用紙束と当接する面と鋭角を成すように設けられている。また、紙束支持部１２８の端縁も同様に鋭角を成すように設けられている。また、綴じ針支持部１２６に対向する紙束支持部１２８の先端面も、後方側に向かうにつれて上面側の板厚が徐々に薄くなるようなテーパー面で構成されている。これにより、除針時、用紙束Ｐのセット時にテーパー面によってステープルＳを誘導して拾い込むので、ステープルＳを針セット位置に収束できる。
【００６６】
図２７は、紙押さえ板１２０Ｏの構成の一例を示している。図２７に示すように、紙押さえ板１２０Ｏは、開口部１２４が形成された本体１２２と、綴じ針支持部１２６と、紙束支持部１２８とを有している。本体１２２は、透明乃至半透明の樹脂材料やガラス素材により形成される。本体１２２の前端側は、レバー１７０Ａとして機能する。これにより、除針時において、ステープルＳの位置合わせ時の視認性の向上を図ることができる。
【００６７】
図２８は、紙押さえ板１２０Ｐの構成の一例を示している。図２８に示すように、紙押さえ板１２０Ｐは、開口部１２４が形成された本体１２２と、綴じ針支持部１２６とを有している。開口部１２４は、その前方側が本体１２２のない開放された構成となっている。これにより、除針時において、ステープルＳの位置合わせ時の視認性の向上を図ることができる。
【００６８】
図２９は、紙押さえ板１２０Ｐの変形例である紙押さえ板１２０Ｑの構成の一例を示している。図２９に示すように、平面的に見てコの字形状の本体１２２の両脚部の間に、ブロック部材１２１が配設されている。ブロック部材１２１は、レバー１７０Ａに取り付けられ、レバー１７０Ａの押圧操作に連動して移動することで用紙束Ｐを押し付けるように構成されている。これにより、針外し部材１６０による紙破れを防止することができる。
【００６９】
図３０は、紙押さえ板１２０Ｑの構成の一例を示している。図３０に示すように、紙押さえ板１２０Ｑは、一対のクランプ部１２０Ｒ，１２０Ｒを有している。一対のクランプ部１２０Ｒ，１２０Ｒは、紙押さえ板１２０Ｑの側面部のそれぞれに配設され、その内部に設けられる板ばね等の弾性部材により挿入される用紙束Ｐを保持する。これにより、ユーザーが手でクランプ操作することなく、クランプ部１２０Ｒ，１２０Ｒにより用紙束Ｐに対して常時クランプ圧を掛けることができるため、ステープルＳの針セット位置へのセット中に用紙束Ｐから手を離すことができる。その結果、作業性の向上を図ることができる。
【００７０】
［レバー１７０Ａの変形例］  
次に、レバー１７０Ａの変形例について説明する。
【００７１】
図３１は、レバー１７０Ｂの構成の一例を示している。図３１に示すように、レバー１７０Ｂは、前後方向に延びる棒状をなす一対の把持部１７１ｂ，１７１ｂを有している。一対の把持部１７１ｂ，１７１ｂは、紙押さえ板１２０Ａよりも外側であって互いに平行となるように配設されている。これにより、レバー１７０Ｂが紙押さえ板１２０Ａの綴じ針支持部１２６からずれた位置にあるので、視認性を確保した状態でステープルＳを針セット位置に迅速かつ正確にセットできる。
【００７２】
図３２は、レバー１７０Ｃ構成の一例を示している。図３２に示すように、レバー１７０Ｃは、前後方向に延びる棒状をなす一対の把持部１７１ｃ，１７１ｃを有している。一対の把持部１７１ｃ，１７１ｃは、紙押さえ板１２０Ａよりも外側であって、後側から前側に向かって略八の字形状に広がるように配設されている。これにより、レバー１７０Ｂが紙押さえ板１２０Ａの綴じ針支持部１２６からずれた位置にあるので、視認性を確保した状態でステープルＳを針セット位置に迅速かつ正確にセットできる。
【００７３】
図３３は、レバー１７０Ｄ構成の一例を示している。図３３に示すように、レバー１７０Ｄの左右方向に延びる棒状をなす把持部１７１ｄを有している。把持部１７１ｄは、紙押さえ板１２０Ａよりも後方側に配設されている。これにより、レバー１７０Ｄが紙押さえ板１２０Ａからずれた位置にあるので、視認性を確保した状態でステープルＳを針セット位置に正確にセットすることができる。
【００７４】
図３４は、レバー１７０Ｅ構成の一例を示している。図３４に示すように、レバー１７０Ｅの左右方向に延びる棒状をなす把持部１７１ｅ，１７１ｅを有している。把持部１７１ｅ，１７１ｅは、紙押さえ板１２０Ａよりも外側に配設されている。これにより、レバー１７０Ｅが紙押さえ板１２０Ａからずれた位置にあるので、視認性を確保した状態でステープルＳを針セット位置に迅速かつ正確にセットできる。
【００７５】
［スイッチ１１６Ａの変形例］  
次に、スイッチ１１６Ａの変形例について説明する。
【００７６】
図３５は、スイッチ１１６Ｂの構成の一例を示している。図３５に示すように、紙押さえ板１２０Ａは、上述した綴じ針支持部１２６として機能する針位置合わせ部材４００を備えている。針位置合わせ部材４００は、ステープルＳを当て付けるための平坦面を有すると共に、ばね等の弾性部材４１０，４１０により前方側に付勢されている。スイッチ１１６Ｂは、弾性部材４１０，４１０の後方側に配設されている（破線参照）。
【００７７】
用紙束ＰのステープルＳが針位置合わせ部材４００に当て付けられた状態で、用紙束Ｐが針位置合わせ部材４００により所定位置まで押し込まれると、弾性部材４１０，４１０が弾性変形して針位置合わせ部材４００が筐体１１０の後方側に移動することでスイッチ１１６Ｂがオンする。これにより、ユーザーがハンドル操作を行うことなく、リムーブ動作を実行することができるので、スイッチ操作の省略化を図ることができる。
【００７８】
図３６は、スイッチ１１６Ｃの構成の一例を示している。図３６に示すように、紙押さえ板１２０Ａは、綴じ針支持部１２６の後方側に設けられた可動アクチュエータ４２０，４２０と、綴じ針支持部１２６と対向する側の可動アクチュエータ４２０，４２０の端部に取り付けられたマグネット４３０，４３０とを備えている。スイッチ１１６Ｃは、可動アクチュエータ４２０，４２０の後方側に配設されている（破線参照）。
【００７９】
ステープルＳが綴じ針支持部１２６に当て付けられると、金属製のステープルＳにマグネット４３０，４３０が磁力によって吸着することで可動アクチュエータ４２０，４２０が前進することに伴いスイッチ１１６がオンする。これにより、ユーザーがハンドル操作を行うことなく、リムーブ動作を行うことができるので、スイッチ操作の省略化を図ることができる。
【００８０】
図３７は、スイッチ１１６Ｄの構成の一例を示している。図３７に示すように、スイッチ１１６Ｄは、フットスイッチであり、配線４４０を介して筐体１１０内に設けられた不図示の制御基板に接続されている。これにより、ユーザーの用紙束Ｐを把持している手を離したり動かしたりしなくても、スイッチ１１６Ｄをオンすることができる。
【００８１】
［ステープル・リムーバユニット３００Ａの変形例］  
次に、ステープル・リムーバユニット３００Ａの変形例について説明する。
【００８２】
図３８は、ステープル・リムーバユニット３００Ｂの構成の一例を示している。図３８に示すように、ステープル・リムーバユニット３００Ｂにおいて、リムーバ１００Ａは紙面の左側に配設され、ステープラ２００は紙面の右側に配設される。リムーバ１００Ａおよびステープラ２００における用紙束の挿入口である正面は、何れも紙面の手前側に設けられる。この場合、リムーバ１００Ａの載置台１１０ａとステープラ２００の載置台２１０ａとを合わせて一つの載置部とできるので、リムーバ１００Ａ単体で載置台１１０ａを設けた場合よりもより広い領域の載置台を構成することができる。
【００８３】
図３９は、ステープル・リムーバユニット３００Ｃの構成の一例を示している。図３９に示すように、ステープル・リムーバユニット３００Ｃにおいて、リムーバ１００Ａは紙面の左側に配設され、ステープラ２００は紙面の右側に配設される。リムーバ１００Ａにおける用紙束の挿入口である正面は紙面の奥側に設けられ、ステープラ２００における用紙束の挿入口である正面は紙面の手前側に設けられる。この場合、リムーバ１００Ａの載置台１１０ａとステープラ２００の載置台２１０ａとを合わせて一つの載置部とできるので、リムーバ１００Ａ単体で載置台１１０ａを設けた場合よりもより広い領域の載置台を構成することができる。
【００８４】
図４０は、ステープル・リムーバユニット３００Ｄの構成の一例を示している。図４０に示すように、ステープル・リムーバユニット３００Ｄにおいて、リムーバ１００Ａは紙面の右側に配設され、ステープラ２００は紙面の左側に配設される。リムーバ１００Ａにおける用紙束の挿入口である正面は紙面の奥側に設けられ、ステープラ２００における用紙束の挿入口である正面は紙面の手前側に設けられる。この場合、リムーバ１００Ａの載置台１１０ａとステープラ２００の載置台２１０ａとを合わせて載置部とできるので、リムーバ１００Ａ単体で載置台１１０ａを設けた場合よりもより広い領域で載置台を構成することができる。
【００８５】
図４１は、ステープル・リムーバユニット３００Ｅの構成の一例を示している。図４１に示すように、ステープル・リムーバユニット３００Ｅにおいて、リムーバ１００Ａは紙面の右側に配設され、ステープラ２００は紙面の左側に配設される。リムーバ１００Ａおよびステープラ２００は、設置台３１０を介して回転台６００に回動可能に取り付けられている。これにより、複数のユーザーが除針作業や綴じ作業を行う場合でも、ステープル・リムーバユニット３００Ａを持ち運ぶことなく向きを変えるだけで各作業を実施することができ、作業の効率化を図ることができる。なお、図３８，図３９，図４０に示したステープル・リムーバユニット３００Ｂ，３００Ｃ，３００Ｄについても、ステープル・リムーバユニット３００Ａと同様に、回転台６００を採用することができる。また、リムーバ１００Ａの載置台１１０ａとステープラ２００の載置台２１０ａとを合わせて一つの載置部とできるので、リムーバ１００Ａ単体で載置台１１０ａを設けた場合よりもより広い領域で載置台を構成することができる。また、載置台１１０ａの張り出した部分３１０ａはステープラ２００でステープル綴じ作業を行う際の用紙載置台とすることができる。これにより、リムーバ１００Ａとステープラ２００とをそれぞれ個別に設けた場合よりも、広い領域の載置台を確保することができる。
【００８６】
［リムーバ１００Ａの載置台１１０ａの変形例］  
次に、リムーバ１００Ａの載置台１１０ａの変形例について説明する。
【００８７】
図４２は、リムーバ１００Ｂの載置台１１０ａの構成の一例を示している。図４２に示すように、リムーバ１００Ｂの筐体１１０の側面部のそれぞれには、補助載置台５００，５００がそれぞれ取り付けられている。補助載置台５００，５００は、筐体１１０の載置台１１０ａとは同一の高さに設置され、載置台１１０ａとで平坦面を構成している。
【００８８】
これにより、リムーバ１００Ａ単体で使用する際に、用紙束のサイズが大きい場合でも、補助載置台５００，５００を設けることで、用紙束の垂れ込みを抑制することができ、作業性の向上を図ることができる。なお、補助載置台５００，５００は、用紙束サイズに応じて着脱できる構成としても良い。
【００８９】
図４３は、リムーバ１００Ｃの載置台１１０ａの構成の一例を示している。図４３に示すように、リムーバ１００Ｃの筐体１１０の側面部のそれぞれには、補助載置台５１０，５１０がそれぞれ取り付けられている。補助載置台５１０，５１０は、筐体１１０の上面の端部側に設けられた収容部１１０ｃ、１１０ｃに収容可能となっている。また、補助載置台５１０，５１０は、帯状をなす平板により構成され、筐体１１０の後方側の一端部を支点として筐体１１０に回動可能に取り付けられている。補助載置台５１０，５１０は、筐体１１０の載置台１１０ａとで平坦面を構成している。
【００９０】
これにより、リムーバ１００Ａ単体で使用する際に、用紙束のサイズが大きい場合でも、補助載置台５１０，５１０を設けることで、用紙束の垂れ込みを抑制することができ、作業性の向上を図ることができる。なお、補助載置台５１０，５１０の開閉動作は、手動で行うように構成しても良いし、自動で行うように構成しても良い。
【００９１】
なお、本発明を実施の形態を用いて説明したが、本発明の技術的範囲は、上述した実施の形態に記載の範囲には限定されることはない。本発明の趣旨を逸脱しない範囲で、上述した実施の形態に、多様な変更または改良を加えることが可能である。
【符号の説明】
【００９２】
１００  リムーバ（ステープル取り外し装置）
１１６Ａ，１１６Ｂ，１１６Ｃ，１１６Ｄ，１１６Ｅ  スイッチ
１１０ａ  載置台（載置部）
１２０Ａ，１２０Ｂ，１２０Ｃ，１２０Ｄ，１２０Ｅ，１２０Ｆ，１２０Ｇ，１２０Ｈ，１２０Ｉ，１２０Ｊ，１２０Ｋ，１２０Ｌ，１２０Ｍ，１２０Ｎ，１２０Ｏ，１２０Ｐ，１２０Ｑ  紙押さえ板（押さえ部材）
１２４  開口部
１２６  綴じ針支持部（ステープル支持部）
１２８  紙束支持部（紙支持部）
１７０Ａ，１７０Ｂ，１７０Ｃ，１７０Ｄ，１７０Ｅ  レバー（操作部）
Ｐ  用紙束
Ｓ  ステープル
【図１】
2018047535.tif 000003
【図２】
2018047535.tif 000004
【図３】
2018047535.tif 000005
【図４】
2018047535.tif 000006
【図５】
2018047535.tif 000007
【図６】
2018047535.tif 000008
【図７】
2018047535.tif 000009
【図８】
2018047535.tif 000010
【図９】
2018047535.tif 000011
【図１０】
2018047535.tif 000012
【図１１】
2018047535.tif 000013
【図１２】
2018047535.tif 000014
【図１３】
2018047535.tif 000015
【図１４】
2018047535.tif 000016
【図１５】
2018047535.tif 000017
【図１６】
2018047535.tif 000018
【図１７】
2018047535.tif 000019
【図１８】
2018047535.tif 000020
【図１９】
2018047535.tif 000021
【図２０】
2018047535.tif 000022
【図２１】
2018047535.tif 000023
【図２２】
2018047535.tif 000024
【図２３】
2018047535.tif 000025
【図２４】
2018047535.tif 000026
【図２５】
2018047535.tif 000027
【図２６】
2018047535.tif 000028
【図２７】
2018047535.tif 000029
【図２８】
2018047535.tif 000030
【図２９】
2018047535.tif 000031
【図３０】
2018047535.tif 000032
【図３１】
2018047535.tif 000033
【図３２】
2018047535.tif 000034
【図３３】
2018047535.tif 000035
【図３４】
2018047535.tif 000036
【図３５】
2018047535.tif 000037
【図３６】
2018047535.tif 000038
【図３７】
2018047535.tif 000039
【図３８】
2018047535.tif 000040
【図３９】
2018047535.tif 000041
【図４０】
2018047535.tif 000042
【図４１】
2018047535.tif 000043
【図４２】
2018047535.tif 000044
【図４３】
2018047535.tif 000045